(57)【要約】【課題】    ローマンシェードにおける窓部の遮蔽部材と壁面との隙間を減少し、美観を向上させる着脱自在な隙間減少パネルを提供する。【解決手段】  窓１００の上部の壁面８に取りつけられたローマンシェードのレール１に、パネル取り付け金具３０により、隙間減少パネルが取りつけられる。隙間減少パネルの正面パネル１０の背面には突出部２０が設けられており、遮蔽部材３を窓側に押すことにより、遮蔽部材３と壁面８との隙間を減少させる。これにより、外からの視線を遮り、断熱性能を向上させる。また、パネル取り付け金具３０は簡単にレール１より、取り外すことが出来る。さらに正面パネル１０に装飾性のある材質や、形状やデザインを加えることにより著しく美観が向上する。【選択図】    図１
2005034570.tif 000002
【特許請求の範囲】
【請求項１】
窓開口部よりも上方の室内側壁面または、窓枠上端の室内側露出面に、室内側に突出して取り付けられた窓部を遮蔽するローマンシェードにおいて、その巾を覆う大きさで、かつ窓部の遮蔽部材を壁面方向に接近させることにより遮蔽部材と壁面との間の隙間を減少する機能を有し、かつローマンシェードの上部に着脱可能な取り付け手段を有することを特徴とする隙間減少パネル。
【請求項２】
さらに遮蔽部材と壁面までの隙間の間隔を調整できる隙間調整手段を有することを特徴とする請求項１に記載の隙間減少パネル。
【請求項３】
遮蔽部材をパネル背面に着脱可能とする遮蔽部材取り付け手段を有することを特徴とする請求項１または２に記載の隙間減少パネル。
【請求項４】
さらにパネル背面に取り付けられた遮蔽部材の取り付け高さが調整できる遮蔽部材高さ調整手段を有することを特徴とする請求項３に記載の隙間減少パネル。
【請求項５】
遮蔽部材を壁面方向に接近させる機能部が着脱可能である請求項１から４に記載の隙間減少パネル。
【発明の詳細な説明】
【技術分野】
【０００１】  本発明は、ローマンシェードにおいて、窓部の遮蔽部材と壁面との隙間を減少させ、かつ、美観を向上させる隙間減少パネルに関するものである。
【背景技術】
【０００２】  遮蔽部材が昇降コードを操作することにより、上下に開閉するローマンシェードの取り付けには、正面付けと天付けとがある。
図８は正面付けでの取り付け状態を示した概略斜視図である。図９は正面付けでの縦断面図を示している。【０００３】  図８，９において、昇降機構を内蔵し、かつその正面に遮蔽部材取り付け手段である面ファスナー５が取り付けられているレール１を、レール取り付け金具２を介して、窓開口部よりも上方の室内側壁面８に取り付ける。遮蔽部材３の反意匠面側の上端に面ファスナー４を縫製などの手段により取り付け、レール１正面の面ファスナー５と嵌合することにより、遮蔽部材３をレール１にとりつける。レール１は窓枠上端部の室内側露出面に取り付けられる場合もある。何れも、遮蔽部材が室内側に突出した状態で取り付けられる。【０００４】  一方、天付けはレール１を窓開口部内または窓枠内の天面にレール取り付け金具２を介して取り付ける。遮蔽部材は正面付けと同様、面ファスナーによって取り付けられる。
【発明の開示】
【発明が解決しようとする課題】
【０００５】  正面付けは窓枠にネジ穴などの傷をつけたくない場合や窓枠全体を隠したいなどの理由で選択される場合が多い。しかしこの場合、レール１と、取り付け用金具２が室内側に突出するため、室内側壁面または窓枠と遮蔽部材との間に図９に示すレール１と取り付け金具２の突出分に相当する間隔の隙間６０が生じる。
その隙間により、遮蔽部材３で窓を覆っていても、室外から斜め方向より見た場合、室内が見えてしまう。また、このような隙間は断熱性能も損なう。
さらに、室内からはレール１の側面が露出し、美観を損ねる。【０００６】  また、ローマンシェードを取り付けた時は、外部からの視線が気にならなかった場合でも、隣接して新たな家屋が出来るという環境の変化などによって、外部からの視線が気になる場合も非常に多い。【０００７】  また、左右に開閉するカーテンは装飾性のあるカーテンレールにより吊り下げられている場合が多い。一方、ローマンシェードは、その上端に装飾性のあるものは何もない。同じ部屋に複数の窓があり、ローマンシェードと装飾性のあるカーテンレールに吊り下げられたカーテンとが別々の窓に吊り下げられた場合、ローマンシェードの上方を装飾するものがないと、カーテンとの調和を考えると美観が劣る。【０００８】  また、遮蔽部材３はレールｌに面ファスナーにより取り付けられているため、遮蔽部材に面ファスナーを縫いつけている部分が肉厚で針あとが目立ち、美観を損ねる。さらに、面ファスナーの嵌合力が、埃や洗濯時の糸くずなどの付着により、低下すると、遮蔽部材の両端がレールから剥がれることがあり、著しく美観を損ねる。【０００９】  本発明が解決しようとする課題は、正面付けのローマンシェードにおいて、遮蔽部材と室内側壁面との隙間を減少させることにより、外部からの視線を遮り、断熱性能を向上しかつ遮蔽部材の美観を向上させる着脱自在の隙間減少パネルを提供することにある。
【課題を解決するための手段】
【００１０】  請求項１に係わる隙間減少パネルは、ローマンシェードの上部正面を巾方向に覆う正面パネルとそのパネルの背面より窓方向に突出した突出部材、及び着脱自在なパネル取り付け手段からなることを特徴とするものである。【００１１】  パネルの背面に設けられた突出部材は、遮蔽部材の意匠面側の上部を窓方向に押すことにより、遮蔽部材と壁面との隙間が減少する。よって、外部から室内を見にくくすると同時に断熱効果も向上する。【００１２】  また、パネルの装着は、遮蔽部材のレールへの取り付け状態を露出させない。さらにパネルに装飾性のある材質を使用したり、デザインを施すことにより、美観が優れ商品価値が著しく向上する。【００１３】  また、この隙間減少パネルは着脱自在な取り付け手段により、レールまたはレール取り付け手段に装着される。よって、以前は外からの視線を気にすることはなかった住環境が変化し、外からの視線を遮る必要が出てきた場合、既に取り付けられているローマンシェードにも簡単に装着できる。【００１４】  また、レールよりも大きなパネルを使用することにより、または、パネルの両端が窓方向に屈曲した形状とすることにより、または、パネルの両端を覆うカバーを取り付けることにより、これまで露出していたレールの側面を見えにくくする。これにより、美観が向上する。【００１５】  更に、これまで遮蔽部材を洗濯すると、面ファスナーに糸くずなどが付着し、嵌合力が劣化し、遮蔽部材が剥がれる場合があった。しかし、パネルが遮蔽部材に密着する取り付け手段を選ぶことにより、遮蔽部材が剥がれることはない。【００１６】  なお、この隙間減少パネルの材質は合成樹脂、金属、木材などを使用してもよいし、それらを組み合わせても構わない。また、表面に生地、紙などを取り付けても構わない。更に、パネルの両端の形状は、窓側に屈曲していても構わない。パネルの形状は平面であっても、凹凸があっても、曲面であっても構わない。
また、パネルと突出部材は一体であっても、別体であっても構わない。
また、突出部材は、パネルの巾方向に連続した形状でも、不連続でも構わない。【００１７】  請求項２に係わる隙間減少パネルは、さらに前記突出部が、その突出量を調節することにより、隙間の量を調整する隙間調整手段を有することを特徴とするものである。【００１８】  窓枠が室内壁面よりも突出している場合、その突出量は多様である。よって、隙間調整手段を設けることにより、窓枠の突出の度合いによって、遮蔽部材と窓枠室内側露出面との隙間を調整できる。【００１９】  請求項３に係わる隙間減少パネルは、さらに前記突出部に遮蔽部材が取り付けられる、遮蔽部材取り付け手段を有することを特徴とするものである。【００２０】  ローマンシェードの遮蔽部材はレールに取り付けられている。よって、レールに遮蔽部材が取り付けられた状態でパネルを取りつけると、パネルの突出部によって窓方向に押された分だけ、丈寸法が短くなる。よって、新たにローマンシェードを作製するときに行う採寸は、突出部の突出量を考慮する必要がある。しかし、窓枠が室内側に突出したものなどは、その突出量が多様であり、採寸が面倒であるばかりか、寸法間違いを起こす原因となる。しかし、背面の突出部に遮蔽部材を取り付ける場合は、遮蔽部材が押されることがないため、採寸の際、押されることによる丈寸法の変化を考慮する必要がない。よって、採寸が簡単で、間違いが起きにくい。【００２１】  さらに、既に取り付けられているローマンシェードにおいて、パネルを取り付けることにより、丈が短くなると、遮蔽部材の下端より、開口部が露出する場合がある。しかし、パネル背面に遮蔽部材を取り付ける場合、レールよりも下方に取り付けられるため、開口部の露出がない。【００２２】  請求項４に係わる隙間減少パネルは、さらに前記突出部に遮蔽部材が取り付けられる場合、遮蔽部材の取り付け高さを調整できる、遮蔽部材高さ調整手段を有することを特徴とするものである。【００２３】  開口部の底面に室内側に突出した棚板が取り付けられている場合、遮蔽部材を壁面に接近させることにより、遮蔽部材の下端が棚板に接触する場合がある。
遮蔽部材の下端には、アルミニウム、スチール、鉛などの錘が取り付けられている。
その錘がローマンシェードを昇降させるたびに棚板に当たると、遮蔽部材および棚板を損傷する場合がある。【００２４】  しかし、このような場合でも、遮蔽部材の高さを調整することにより、棚板と遮蔽部材下端との間に錘が接触しない程度に、隙間を生じさせない取り付けが可能となる。これにより、棚板及び遮蔽部材を損傷することない。また、特に寒い時に遮蔽部材の下端の隙間より室内に入ってくる冷気をなくすことができる。【００２５】  また、既に取り付けられているローマンシェードにパネルを取り付ける際、背面突出部に遮蔽部材を取り付けると、以前の取りつけ状態と比べ、床面からの取り付け高さが変わる。しかし、パネル背面で正面にその取り付け位置が露出しないように取り付け高さが調整できることにより、以前の取りつけの縦横のバランスを変えることがない位置調整をすることもできる。【００２６】  本発明の請求項５に記載の隙間減少パネルは、さらに突出部材が着脱自在であることを特徴とするものである。【００２７】  ローマンシェードの上方からパネルを装着する時などは、窓枠が室内側に突出している場合に、パネル背面の突出部が取り付けの邪魔になる。このような場合パネル背面の突出部材をはずすことにより、パネルとローマンシェードが干渉することなく、パネルを容易に取り付けられる。突出部はパネル装着後に取り付ければよい。【００２８】  また、窓枠の突出の度合いにより、パネル背面に取り付ける突出部材の大きさを変えることもできる。よって、突出部材のみを複数もつことにより、室内側への突出量が様々な寸法の窓枠に対応ができ、コストも抑えられる。
【発明の効果】
【００２９】  本発明の隙間減少パネルは、ローマンシェードの正面付けの際、ローマンシェードの上方に着脱自在な、背面に突出部が設けられたパネルを特徴とするものである。この突出部が遮蔽部材を窓方向に押すことにより、遮蔽部材と壁面との間に形成されていた隙間を減少するものである。よって、これまでのローマンシェードにおいて、隙間より外から斜め方向より、室内が見えてしまうことや、外気との熱の移動による冷暖房効率の低下などの問題を低減できる。【００３０】  また、ローマンシェードを取りつけた時は、外からの視線は気にならなくても、その後、隣接した位置に家屋や、道路ができることにより、外からの視線が気になる場合が出てくる。しかし、着脱自在であるため、既存のローマンシェードにも、改良などをしなくても取りつけられ、外からの視線を遮ることが出来る。【００３１】  さらに、これまでローマンシェードの上方を装飾するものが無かったが、ローマンシェードの上方にパネルを装着することにより、美観が上がり、商品価値が著しく向上する。また、従来、遮蔽部材をレールに取りつける手段として、遮蔽部材背面に面ファスナーを縫製していたが、美観を損ねる要因ともなっていた。しかし、この縫製部分がパネル装着により、露出しなくなる。【００３２】  さらに本発明は、既存の取り付け状態に対して、何の改造もなく容易に取りつけられることが大きな特徴である。よって、従来のローマンシェードを販売した後も、本パネルは単独で市場に流通することが可能であり、取り付けの対象は、新規にローマンシェードをとりつける需要層に限定されず、すでに取りつけられたローマンシェードにも市場を拡大できる。
【発明を実施するための最良の形態】
【００３３】  以下、本発明の各種実施形態に係わるローマンシェードにおける隙間減少パネルについて、図１〜図７を参照して説明する。
【実施例１】
【００３４】  図１は本発明の第１実施形態に係わる隙間減少パネルにおける斜視図をしめす。
図２は、同じく第１実施形態に係わる要部の部分縦断面図である。
図１及び図２において、ローマンシェードのレール１はレール取り付け金具２により、開口部上方の室内壁面８に取りつけられている。正面パネル１０の背面には、パネル取り付け金具３０と突出部材２０が取り付けられている。パネル取り付け金具３０は、屈曲した金具で、昇降機構を内蔵したレール１の上部に装着されている。パネル取り付け金具３０がレール１とレール１に取り付けられている遮蔽部材３に丁度はまる寸法にすることにより、容易にレール１の上から取り付けられる。また、パネル１を上に引き上げれば簡単に取り外すことができる。【００３５】  突出部材２０は、パネル１０の背面に設けられた溝に挿入されている。
突出部材２０により、遮蔽部材３は、図２に示すように窓側に押され、その結果、壁面との隙間は減少する。これにより、外からの視線を遮るだけでなく、断熱効果もたかまり、冷暖房の効率を上げる。【００３６】  また、突出部材２０は溝に通してあるだけで、簡単に取り外しができる。
よって、パネル１０を取り付けた後に突出部材２０を取り付けることもできる。また、パネル１０の両側面には、図１に示すように、穴１１があいており、その部分に側面カバー４０が取り付けられる。これにより、レール側面が露出しなくなり、美観が向上する。また、すでに取り付けられて、時間を経ているローマンシェードでも、パネルの脱着が可能なことにより、本パネルさえあれば、容易に壁面との隙間を減少させることができる。
【実施例２】
【００３７】  図３は本発明の第２実施形態に係わる隙間減少パネルの要部の部分縦断面図である。
実施例１と同様にレール１はレール取り付け金具２により、室内壁面８に取りつけられている。図３においてパネル１２の背面には、スチール製の板２３が取り付けられている。突出部材２０Ａに磁石２２が接着により取り付けられている。よって、突出部材２０Ａは磁石２２により、パネル背面に取り付けられたスチール板２３に取り付けられる。
また、突出部材２０Ａのもう一方の面には、面ファスナー２１が接着により取り付けられている。遮蔽部材３の上端の意匠面側には突出部材に取り付けられた面ファスナー２１に嵌合する面ファスナー４Ａが縫製により取り付けられている。【００３８】  レール１への取り付けは、屈曲したパネル取り付け金具３０Ａにより、上部よりレール１をつかむように取り付けられている。パネル取り付け金具３０Ａは、パネル１２にネジ３１により、取り付けられている。また、パネル取り付け金具３０Ａの背部にはネジ穴が設けられている。
このネジ穴にネジ３２が取り付けられることにより、パネル１２をレール１に固定する。【００３９】  本実施形態では、磁石が取り付けられた突出部材は取り外しができ、また、スチール板２３への取り付け高さもスチール板の高さの範囲内で調整が可能である。よって、室内側に取り付け位置が露出することなく高さ調整ができる。また、突出部材２０Ａの肉厚を変えることにより、突出具合が調整でき、壁面と遮蔽部材の隙間を調整できる。
【実施例３】
【００４０】  図４は本発明に係わる第３実施形態を示す要部の部分斜視図である。図４において、パネル１２の背面には、レール１へのパネル取り付け金具３０Ａ及び隙間調整金具２４がネジ止めされている。隙間調整金具２４はＬ字状に屈曲した形状であり、パネル背面から垂直方向に伸びた面には、ネジ穴が設けられている。
両端が垂直に折れ曲がった遮蔽部材取り付け金具２６は、隙間調整金具２４のネジ穴において、ネジ２５によりネジ止めされる。遮蔽部材取り付け金具２６には、両端の折れ曲がった部分に長穴２９があけられている。この長穴は、前後方向に遮蔽部材取り付け金具２６がスライドすることを可能とするものである。これにより、突出量を調整し、ネジ２５により、隙間調整金具２４と遮蔽部材取り付け金具２６を固定する。【００４１】  遮蔽部材取り付け金具２６の背面には、接着などの手段により面ファスナー２７が取り付けられている。遮蔽部材３の意匠面側上端には、面ファスナー２７と嵌合する面ファスナー４Ａが縫製などの手段により取り付けられている。
これにより、遮蔽部材３はパネル背面に取り付けられる。図４に省略されている、もう一方のパネルの端も、隙間調整金具２４と同じ金具が取りつけられており、遮蔽部材取り付け金具２６がネジ止めされている。【００４２】  図５は第３実施形態を示す概略縦断面図である。図５において、レール１はレール取り付け金具２により、開口部上方の室内壁面８に取りつけられている。また、窓枠３５は室内壁面よりも突出している。このような場合は、遮蔽部材取り付け金具２６をスライドさせることにより、窓枠３５に接するように、遮蔽部材３の位置を調整できる。この結果、窓枠３５と遮蔽部材３との隙間が無くなり外から室内が見えないだけでなく、断熱性能も上がる。【００４３】  レール１への取り付けは第２実施形態と同じく屈曲したパネル取り付け金具３０Ａにより、上部より取り付けられており、ネジ３２により固定されているため、容易に脱着可能である。よって、既に取り付けられて時間が経ているローマンシェードでも簡単に装着でき、住環境の変化により、外からの視線が気になった時でも、本パネルを装着することにより、外からの視線を遮ることができる。
【実施例４】
【００４４】  図６は本発明に係わる第４実施形態を示す要部の部分斜視図である。
図６において、パネル１２の背面には、レール１へのパネル取り付け金具３０Ａ及び隙間調整金具５０がネジ止めされている。【００４５】  隙間調整金具５０はＬ字状に屈曲した形状であり、パネル背面から垂直方向に伸びた面の形状は半円形状である。その半円の中心部には、ネジ穴が設けられている。このネジ穴を中心に回転できる長円状のアーム５３は、両端に穴があいている。一方は隙間調整金具５０に取り付けられるネジ５２が挿入され、もう一方には、棒状の遮蔽部材取り付け手段５４が挿入される。遮蔽部材取り付け手段５４には、ネジ５６により、棒状の遮蔽部材取り付け手段５５が取り付けられる。遮蔽部材３は遮蔽部材取り付け手段５４，５５にはさまれ、ネジ５６により固定される。遮蔽部材の取り付け高さは、遮蔽部材３をはさむ位置を調整することにより、任意の位置に取り付けられる。また、アーム５３はネジ５２を中心に回転するため、突出量の調整ができ、隙間調整が可能となる。アーム５３は、ネジ５２により、固定される。【００４６】  図７は第４実施形態を示す概略縦断面図である。図７において、レール１はレール取り付け金具２により、開口部上方の室内壁面８に取りつけられている。また、棚板４５が室内壁面よりも突出している状態を示している。パネルを取りつける前は、遮蔽部材の丈が開口部よりも長い場合でも、棚板から離れた位置に吊り下げられているために、棚板４５と遮蔽部材３が接触することがない。しかし、パネルの装着によって、遮蔽部材３と棚板４５があたる場合がある。このような場合でも、遮蔽部材３の取り付け高さを調整することによって、遮蔽部材下端が棚板に接触するか否かの微妙な位置に、高さ調整が可能となる。【００４７】  これにより、棚板と遮蔽部材が昇降動作の際、ぶつかり、損傷してしまうような位置設定をしないように調整ができ、さらに、特に寒い時に遮蔽部材の下端の隙間より室内に入ってくる冷気をなくすことができる。【００４８】  上記各実施形態は、それぞれ特定の構造について説明したが、本発明はこれらの実施形態の構造に限定されるものではない。【００４９】  また、大きな１つの窓に複数のローマンシェードが並列に取りつけられている場合、本パネルは、１つのパネルで複数のローマンシェードに取りつけても構わない。【００５０】  また、ここでいうローマンシェードは、昇降紐の操作により、上下方向に開閉するものであれば良い。また、カーテンは、左右両側に開閉するものを称している。よって、ローマンシェードとカーテンは窓装飾において、別々の形態を表している。【００５１】
【図面の簡単な説明】
【図１】  本発明の第１実施形態に係わる隙間減少パネルの斜視図である。
【図２】  本発明の第１実施形態に係わる隙間減少パネルの要部の部分縦断面図である。
【図３】  本発明の第２実施形態に係わる隙間減少パネルの要部の部分縦断面図である。
【図４】  本発明の第３実施形態に係わる隙間減少パネルの要部の部分斜視図である。
【図５】  本発明の第３実施形態に係わる隙間減少パネルの要部の部分縦断面図である。
【図６】  本発明の第４実施形態に係わる隙間減少パネルの要部の部分斜視図である。
【図７】  本発明の第４実施形態に係わる隙間減少パネルの要部の部分縦断面図である。
【図８】  従来のローマンシェードの正面付けでの取り付け状態を示した概略斜視図である。
【図９】  従来のローマンシェードの正面付けでの取り付け状態を示した縦断面図である。
【符号の説明】
１  レール
２  レール取り付け金具
３  遮蔽部材
４、４Ａ  遮蔽部材に取りつけられる面ファスナー
５  レールに取りつけられる面ファスナー
６  昇降紐
８  室内側壁面
１０，１２  正面パネル
２０，２０Ａ  突出部材
２４，５０  隙間調整金具
２６  遮蔽部材取り付け金具
３０，３０Ａ  パネル取り付け金具
３５  窓枠
４５  棚板
５４，５５  遮蔽部材取り付け手段
６０  遮蔽部材と壁面との間で形成される隙間
１００  窓
１２０  リングテープ
【図１】
2005034570.tif 000003
【図２】
2005034570.tif 000004
【図３】
2005034570.tif 000005
【図４】
2005034570.tif 000006
【図５】
2005034570.tif 000007
【図６】
2005034570.tif 000008
【図７】
2005034570.tif 000009
【図８】
2005034570.tif 000010
【図９】
2005034570.tif 000011